(57)【特許請求の範囲】
【請求項１】
車体の幅方向に延び、その各端部がサスペンションタワー側と結合されるフロントカウルと、上下方向に延びて上端縁部が上記フロントカウルに結合され、その後側が車室とされるダッシュパネルとを備え、上記フロントカウルが、上記ダッシュパネルの上端縁部と結合される底部パネルと、この底部パネルの前縁部から前上方に向かって延出し、その延出端部が車体の側面断面視で自由端とされる前部パネルと、上記底部パネルの後縁部から上方に向かって延出し、その後側が車室とされる後部パネルとを有した車両の車体前部構造において、
車体の側面断面視で、上記前部パネルの幅方向の中途部を屈曲し、かつ、この屈曲を上記前部パネルの長手方向に沿って施すことにより線状屈曲部を形成し、車体の平面視で、前方に向かって凸状とされ、その左右基端部が上記線状屈曲部上に位置する左右一対の円弧状線を、上記前部パネル上に車体の幅方向で互いに離間させて配置し、上記各円弧状線に対応する上記前部パネルの各部分を屈曲させて、左右一対の円弧状屈曲部を形成したことを特徴とする車両の車体前部構造。
【請求項２】
車体の平面視で、上記フロントカウルを全体として前方に向かって凸状の円弧形状に形成し、上記線状屈曲部を車体の幅方向に直線状に延びるよう形成したことを特徴とする請求項１に記載の車両の車体前部構造。
【発明の詳細な説明】
【技術分野】
【０００１】
本発明は、フロントカウルに上端縁部が結合されて、その後側が車室とされるダッシュパネルを備えた車両の車体前部構造に関するものである。
【背景技術】
【０００２】
上記車両の車体前部構造には、従来、下記特許文献１に示されるものがある。この公報のものによれば、車両の車体前部構造は、車体の幅方向に延び、その各端部がサスペンションタワー側と結合されるフロントカウルと、このフロントカウルの下方域で車体の幅方向かつ上下方向に延びて上端縁部が上記フロントカウルに結合され、その後側が車室とされるダッシュパネルとを備えている。
【０００３】
上記車両が走行するとき、通常、上記フロントカウルの長手方向の左右各端部に対し、走行面側から車輪、サスペンション、および上記サスペンションタワーを介しそれぞれ衝撃力が与えられる。この場合、これら左右衝撃力により、上記フロントカウルにはその長手方向に向かう圧縮荷重が与えられる。そして、車両の走行時、上記圧縮荷重が断続的に与えられることにより、上記フロントカウルは、車体の前、後方向に向かう円弧凸状の屈曲を前、後に交互に繰り返すよう振動しがちとなる。また、この際、上記フロントカウルの振動に連動して上記ダッシュパネルも、前、後方向に振動しがちとなる。
【０００４】
ここで、上記フロントカウルの振動が、このフロントカウルの両端部を節として単一の腹を発生させる一次振動モードの場合には、その振幅は大きいものである。このため、上記フロントカウルに連動して振動する上記ダッシュパネルの振幅も大きくなる。すると、このダッシュパネルの振動により、音圧の大きい振動騒音であるこもり音が、上記ダッシュパネルの後側の車室に生じがちとなり、これは車室の乗員にとって好ましくない。
【０００５】
そこで、上記従来の技術では、フロントカウルを長手方向に三等分した２ヵ所の各部位に補強部材を設けて、上記各部位が剛性の大きい中空閉断面構造となるよう補強している。これによれば、上記フロントカウルは、このフロントカウルの各両端部と上記２ヵ所の各部位とを節（４つの節）として３つの腹を発生させる三次振動モードの振動をすることとなる。
【０００６】
そして、上記したフロントカウルの三次振動モードの振動によれば、前記したフロントカウルの一次振動モードの振動に比べて振幅が小さくなる。このようにして、このフロントカウルに連動して振動する上記ダッシュパネルの振幅が小さく抑制され、このダッシュパネルの振動により車室に生じるこもり音の音圧が低減されるようになっている。
【先行技術文献】
【特許文献】
【０００７】
【特許文献１】特開２００６−２０６００４号公報
【発明の概要】
【発明が解決しようとする課題】
【０００８】
ところで、上記した従来の技術では、車室に生じるこもり音の音圧を低減させようとして、上記フロントカウルの各部位を補強する補強部材を設けている。しかし、このような補強部材を単に設けると、車体前部の部品点数が増加して構成が複雑になると共に、車両の軽量化という一般的要求に反し、車体前部の質量が増加するという不都合が生じるおそれがある。
【課題を解決するための手段】
【０００９】
本発明は、上記のような事情に注目してなされたもので、本発明の目的は、車両の走行中に車室に生じるこもり音についての音圧の低減が、簡単な構成で、かつ、車体前部の質量の増加を抑制しつつ達成できるようにすることである。
【００１０】
請求項１の発明は、車体２の幅方向に延び、その各端部がサスペンションタワー１０側と結合されるフロントカウル７と、上下方向に延びて上端縁部が上記フロントカウル７に結合され、その後側が車室１９とされるダッシュパネル１１とを備え、上記フロントカウル７が、上記ダッシュパネル１１の上端縁部と結合される底部パネル９ａと、この底部パネル９ａの前縁部から前上方に向かって延出し、その延出端部が車体２の側面断面視（図３，４）で自由端とされる前部パネル９ｂと、上記底部パネル９ａの後縁部から上方に向かって延出し、その後側が車室１９とされる後部パネル９ｃとを有した車両の車体前部構造において、
車体２の側面断面視（図４）で、上記前部パネル９ｂの幅方向の中途部を屈曲し、かつ、この屈曲を上記前部パネル９ｂの長手方向に沿って施すことにより線状屈曲部２８を形成し、車体２の平面視（図１）で、前方に向かって凸状とされ、その左右基端部３３ａ，３３ｂが上記線状屈曲部２８上に位置する左右一対の円弧状線３３，３３を、上記前部パネル９ｂ上に車体２の幅方向で互いに離間させて配置し、上記各円弧状線３３に対応する上記前部パネル９ｂの各部分を屈曲させて、左右一対の円弧状屈曲部３５，３５を形成したことを特徴とする車両の車体前部構造である。
【００１１】
請求項２の発明は、車体２の平面視（図１）で、上記フロントカウル７を全体として前方に向かって凸状の円弧形状に形成し、上記線状屈曲部２８を車体２の幅方向に直線状に延びるよう形成したことを特徴とする請求項１に記載の車両の車体前部構造である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、車体の幅方向に延び、その各端部がサスペンションタワー側と結合されるフロントカウルと、上下方向に延びて上端縁部が上記フロントカウルに結合され、その後側が車室とされるダッシュパネルとを備え、上記フロントカウルが、上記ダッシュパネルの上端縁部と結合される底部パネルと、この底部パネルの前縁部から前上方に向かって延出し、その延出端部が車体の側面断面視で自由端とされる前部パネルと、上記底部パネルの後縁部から上方に向かって延出し、その後側が車室とされる後部パネルとを有した車両の車体前部構造において、
車体の側面断面視で、上記前部パネルの幅方向の中途部を屈曲し、かつ、この屈曲を上記前部パネルの長手方向に沿って施すことにより線状屈曲部を形成し、車体の平面視で、前方に向かって凸状とされ、その左右基端部が上記線状屈曲部上に位置する左右一対の円弧状線を、上記前部パネル上に車体の幅方向で互いに離間させて配置し、上記各円弧状線に対応する上記前部パネルの各部分を屈曲させて、左右一対の円弧状屈曲部を形成している。
【００１５】
ここで、上記車両が走行するとき、通常、フロントカウルの長手方向の左右各端部に対し、上記サスペンションタワー側からそれぞれ衝撃力が与えられる。この場合、これら左右衝撃力により、上記フロントカウルにはその長手方向に向かう圧縮荷重が与えられる。そして、車両の走行時、上記圧縮荷重が断続的に与えられることにより、上記フロントカウルは、車体の前、後方向に向かう円弧凸状の屈曲を前、後に交互に繰り返すよう振動しがちとなる。そして、このフロントカウルの振動に上記ダッシュパネルが連動して振動すると、音圧の大きいこもり音が車室に生じがちとなって好ましくない。
【００１６】
しかし、上記発明によれば、上記サスペンションタワー側からの衝撃力により振動するフロントカウルは、特に、このフロントカウルの前部パネルの自由端側が、剛性の比較的低い上記線状屈曲部を振動中心として、より容易に振動する。また、上記線状屈曲部と、上記円弧状線の各基端部に位置する上記円弧状屈曲部の各端部とが合流する上記前部パネルの各部分は、この前部パネルにおける単なる平坦面の部分に比べて剛性が、より低くなる部分である。このため、上記ロアカウルの前部パネルの自由端側は、上記線状屈曲部を中心として更に容易に振動する。
【００１７】
よって、上記サスペンションタワー側からの衝撃力により、上記フロントカウルとこのフロントカウルに結合された上記ダッシュパネルとが振動しようとする際、上記したようにフロントカウルの前部パネルがより容易に振動する分、上記フロントカウル７の後部パネル９ｃと、ダッシュパネルとの振動が抑制される。この結果、上記後部パネル９ｃやダッシュパネルの振動により、これら後部パネル９ｃやダッシュパネルの後側の車室に生じようとするこもり音の音圧は、より確実に低減される。
【００１８】
しかも、上記したように、上記線状屈曲部と、上記円弧状線の各基端部に位置する上記円弧状屈曲部の各端部とが合流する上記前部パネルの各部分は、この前部パネルにおける単なる平坦面の部分に比べて剛性が、より低くなる部分である。このため、上記ロアカウルの前部パネルの自由端側は、上記各円弧状屈曲部の各端部の近傍部分を４つの節として３つの腹を発生させる三次振動モードの振動をすることとなる。
【００１９】
そして、上記したフロントカウルの前部パネルの三次振動モードの振動によれば、前記したフロントカウルの一次振動モードの振動に比べて振幅が小さくなる。このため、このフロントカウルに連動して上記ダッシュパネルが上記フロントカウルと同様に三次振動モードにより振動するとしても、その振幅は小さく抑制される。よって、このダッシュパネルの振動により車室に生じるこもり音の音圧は、更に確実に低減される。
【００２０】
また、上記した３つの腹を発生させる三次振動モードは、左右各側部の腹が前方（もしくは後方）に向かうとき、中央部の腹は後方（もしくは前方）に向かうこととなる。
【００２１】
このため、上記したようにダッシュパネルが三次振動モードで振動するとき、このダッシュパネルの左右各側部が撓む方向と、中央部が撓む方向とは前後方向で互いに逆になることから、上記振動に基づく車室の容積変化は、左右バランスよく、小さく抑制される。よって、上記ダッシュパネルの振動により車室に生じるこもり音の音圧は、更に確実に低減される。
【００２２】
そして、上記したこもり音の音圧の低減は、上記フロントカウルの前部パネルに線状屈曲部や左右一対の円弧状屈曲部という屈曲部を形成したことにより達成されることから、前記従来の技術でいうような別途の補強部材を設けないで足りる。よって、車両の走行中に車室に生じるこもり音についての音圧の低減は、簡単な構成で、かつ、車体前部の質量の増加を抑制しつつ達成できる。
【００２３】
請求項２の発明は、車体の平面視で、上記フロントカウルを全体として前方に向かって凸状の円弧形状に形成し、上記線状屈曲部を車体の幅方向に直線状に延びるよう形成している。
【００２４】
ここで、上記したように、車体の平面視で、上記フロントカウルを前方に向かって凸状の円弧形状とし、仮に、これに相応するように上記線状屈曲部を円弧形状にしたとすると、この線状屈曲部の剛性は大きくなりがちである。このため、車両の走行中に、上記前部パネルの自由端側が上記線状屈曲部を振動中心として振動しようとしても、この振動はし難くなる。
【００２５】
そこで、上記したように、車体の平面視で、上記フロントカウルを全体として前方に向かって凸状の円弧形状に形成したことにかかわらず、上記線状屈曲部を車体の幅方向に直線状に延びるよう形成している。
【００２６】
このため、上記前部パネルの自由端側への何らかの負荷に対する上記線状屈曲部の剛性は、この線状屈曲部が仮に前記したように円弧形状に屈曲している場合に比べて十分に低下することから、車両の走行時、上記前部パネルの自由端側は、上記線状屈曲部を振動中心として、更に容易に振動する。
【００２７】
よって、上記サスペンションタワー側からの衝撃力により、上記フロントカウルとこのフロントカウルに結合された上記ダッシュパネルとが振動しようとする際、上記したようにフロントカウルの前部パネルが更に容易に振動する分、上記フロントカウルの後部パネルと、ダッシュパネルとの振動は、より効果的に抑制される。この結果、上記後部パネルやダッシュパネルの振動により、これら後部パネルやダッシュパネルの後側の車室に生じようとするこもり音の音圧は、更に確実に低減される。
【図面の簡単な説明】
【００２８】
【図１】車体前部の部分平面図である。
【図２】車体前部の部分斜視図である。
【図３】図１のIII−III線矢視断面図である。
【図４】図１のIV−IV線矢視断面図である。
【発明を実施するための形態】
【００２９】
本発明の車両の車体前部構造に関し、車両の走行中に車室に生じるこもり音についての音圧の低減が、簡単な構成で、かつ、車体前部の質量の増加を抑制しつつ達成できるようにする、という目的を実現するため、本発明を実施するための形態は、次の如くである。
【００３０】
即ち、車両の車体前部構造は、車体の幅方向に延び、その各端部がサスペンションタワー側と結合されるフロントカウルと、上下方向に延びて上端縁部が上記フロントカウルに結合され、その後側が車室とされるダッシュパネルとを備える。上記フロントカウルが、上記ダッシュパネルの上端縁部と結合される底部パネルと、この底部パネルの前縁部から前上方に向かって延出し、その延出端部が車体の側面断面視で自由端とされる前部パネルと、上記底部パネルの後縁部から上方に向かって延出し、その後側が車室とされる後部パネルとを有している。
【００３１】
車体の側面断面視で、上記前部パネルの幅方向の中途部を屈曲し、かつ、この屈曲を上記前部パネルの長手方向に沿って施すことにより線状屈曲部が形成されている。車体の平面視で、前方に向かって凸状とされ、その左右基端部が上記線状屈曲部上に位置する左右一対の円弧状線が、上記前部パネル上に車体の幅方向で互いに離間するよう配置される。上記各円弧状線に対応する上記前部パネルの各部分を屈曲させて、左右一対の円弧状屈曲部が形成されている。
【実施例】
【００３２】
本発明をより詳細に説明するために、その実施例を添付の図に従って説明する。
【００３３】
図において、符号１は、自動車で例示される車両であり、Ｆｒは、この車両１の進行方向の前方を示している。また、下記する左右とは、上記前方に向かっての車両１の車体２の幅方向をいうものとする。
【００３４】
上記車体２は板金製で、この車体２は、前後方向に延びる左右一対のサイドメンバ３，３と、これら左右サイドメンバ３，３を互いに結合させるクロスメンバ４と、上記各サイドメンバ３の長手方向の中途部からそれぞれ上方に延出するフロントピラー５と、これら各フロントピラー５の上下方向の中途部から前方に突出するエプロンメンバ６と、車体２の幅方向に延び、その長手方向の各端部が上記各フロントピラー５の上下方向の中途部とエプロンメンバ６の基部とに跨るようにスポット溶接により結合されるフロントカウル７とを備えている。
【００３５】
上記フロントカウル７は、車体２の平面視で、全体として前方に向かって凸状の円弧形状となるよう形成されている。このフロントカウル７は、このフロントカウル７の上部を構成し、車体２の幅方向に延びると共に前後方向に延びるアッパカウル８と、上記フロントカウル７の下部を構成し、上記アッパカウル８の下方で車体２の幅方向に延び、車体２の側面断面視（図３，４）で、その長手方向の各部断面がＵ字形状をなすロアカウル９とを備えている。
【００３６】
上記ロアカウル９は、その底部を構成する底部パネル９ａと、この底部パネル９ａの前縁部から前上方に向かって一体的に延出し、その延出端部が車体２の側面断面視（図３，４）で自由端とされる前部パネル９ｂと、上記底部パネル９ａの後縁部から後上方に向かって一体的に延出する後部パネル９ｃとを備えている。この後部パネル９ｃの上端縁部に形成された外向きフランジと上記アッパカウル８の後端縁部とがスポット溶接Ｓ１されている。上記アッパカウル８の前端縁部と上記前部パネル９ｂの延出端縁部との間には前方に向かって開く開口９ｄが形成されている。なお、上記後部パネル９ｃは、上記底部パネル９ａの後縁部からほぼ鉛直方向の上方に向かって延出するものであってもよい。
【００３７】
また、上記車体２は、その左右各側部において、それぞれ上記サイドメンバ３とエプロンメンバ６とに架設されて支持されると共に、上記ロアカウル９の各端部とスポット溶接Ｓ２により互いに結合されるサスペンションタワー１０と、上記ロアカウル９の下方域で車体２の幅方向かつ上下方向に平坦状に延び、その上端縁部が上記ロアカウル９の底部パネル９ａにスポット溶接Ｓ３により結合されるダッシュパネル１１とを備えている。
【００３８】
上記ダッシュパネル１１は上記左右フロントピラー５，５間の全幅にわたり車体２の幅方向に延び、上記ダッシュパネル１１の左右各側端縁部はそれぞれ上記フロントピラー５に結合されている。また、上記ダッシュパネル１１の上端縁部の車体２の幅方向における各端部は、上記ロアカウル９の端部における底部パネル９ａとサスペンションタワー１０の上端面との間に挟まれて前記スポット溶接Ｓ２により互いに結合されている。また、上記ダッシュパネル１１の下端縁部は、不図示のフロアパネルの前端縁部に結合されている。
【００３９】
上記左右フロントピラー５，５の各上部側と上記ロアカウル９とで囲まれた空間がウィンド開口１４とされる。このウィンド開口１４は、その前方からウィンドガラス１５で覆われ、このウィンドガラス１５の外縁部は上記各フロントピラー５の上部側の前面とフロントカウル７のアッパカウル８の上面とに接着剤１６により接着されて車体２に支持されている。
【００４０】
上記車体２の後部側の内部であって、上記フロントカウル７、ダッシュパネル１１、およびウィンドガラス１５の後側が車室１９とされている。この車室１９の下面は前記フロアパネルにより全体的に形成され、上記車室１９の下部前面は、面積の広い上記ダッシュパネル１１により全体的に形成されている。一方、上記車体２の前部の内部であって、上記ダッシュパネル１１の前側がエンジンルーム２１とされている。このエンジンルーム２１の上端開口を覆うフード２２が設けられる。また、上記フロントカウル７の開口９ｄをその上方から覆うカウルルーバ２３が設けられている。
【００４１】
上記サイドメンバ３、クロスメンバ４、フロントピラー５、エプロンメンバ６、およびフロントカウル７は、それぞれ車体２の骨格部材をなして互いに強固に結合されている。また、上記各サスペンションタワー１０には、緩衝器２５を介して不図示の車輪がそれぞれ懸架され、これら車輪を介して車体２が走行面上に支持される。
【００４２】
図１，２，４において、車体２の側面断面視（図４）で、上記前部パネル９ｂの幅方向の中途部が屈曲されている。また、この屈曲は、上記前部パネル９ｂの長手方向のほぼ全体にわたり、かつ、この長手方向に沿って施され、これにより線状屈曲部２８が形成されている。この線状屈曲部２８は、車体２の平面視（図１）で、車体２の幅方向に直線状に延びるよう、また、水平方向に直線状に延びるよう形成される。
【００４３】
上記線状屈曲部２８とほぼ同構成の他の線状屈曲部２９が、上記線状屈曲部２８よりも上記底部パネル９ａ側で、上記前部パネル９ｂの下部側に形成されている。上記両線状屈曲部２８，２９の長手方向各端部は互いに合流している。
【００４４】
車体２の側面断面視（図４）で、上記線状屈曲部２８は谷折れ屈曲部とされ、他の線状屈曲部２９は山折れ屈曲部とされている。これら両線状屈曲部２８，２９の間にはほぼ水平に、帯板（ベルト）状に延びる幅狭の棚部３０が形成されている。
【００４５】
車体２の平面視（図１）で、前方に向かって凸状とされ、その左右基端部３３ａ，３３ｂが上記線状屈曲部２８上に位置する左右一対の円弧状線３３，３３が上記前部パネル９ｂ上に仮想設定される。上記左右円弧状線３３，３３は、車体２の幅方向で互いに離間するよう配置され、かつ、車体２の幅方向の中心線３４を基準としてほぼ左右対称形とされている。
【００４６】
上記各円弧状線３３のそれぞれ左右基端部３３ａ，３３ｂのうち、フロントカウル７の長手方向の端部側に位置する各基端部３３ａは、上記フロントカウル７の端部近傍に位置している。また、上記左右円弧状線３３，３３の各基端部３３ａ，３３ｂの車体２の幅方向におけるピッチは互いにほぼ同寸法とされている。
【００４７】
そして、上記各円弧状線３３に対応する上記前部パネル９ｂの各部分が屈曲されて、左右一対の円弧状屈曲部３５，３５が形成されている。車体２の側面断面視（図４）で、上記各円弧状屈曲部３５はそれぞれ谷折れ屈曲部とされている。
【００４８】
ここで、上記車両１が走行するとき、通常、フロントカウル７の長手方向の左右各端部に対し、走行面側から車輪、サスペンション、およびサスペンションタワー１０を介して衝撃力が与えられる。この場合、これら左右衝撃力により、上記フロントカウル７にはその長手方向に向かう圧縮荷重が与えられる。そして、車両１の走行時、上記圧縮荷重が断続的に与えられることにより、上記フロントカウル７は、車体２の前、後方向に向かう円弧凸状の屈曲を前、後に交互に繰り返すよう振動しがちとなる。そして、このフロントカウル７の振動に上記ダッシュパネル１１が連動して振動すると、音圧の大きいこもり音が車室１９に生じがちとなって好ましくない。
【００４９】
しかし、上記構成によれば、上記サスペンションタワー１０側からの衝撃力により振動するフロントカウル７は、特に、このフロントカウル７の前部パネル９ｂの自由端側が、剛性の比較的低い上記線状屈曲部２８を振動中心として、より容易に振動する。また、上記線状屈曲部２８と、上記円弧状線３３の各基端部３３ａ，３３ｂに位置する上記円弧状屈曲部３５の各端部３５ａ，３５ｂとが合流する上記前部パネル９ｂの各部分は、この前部パネル９ｂにおける単なる平坦面の部分に比べて剛性が、より低くなる部分である。このため、上記ロアカウル９の前部パネル９ｂの自由端側は、上記線状屈曲部２８を中心として更に容易に振動する。
【００５０】
よって、上記サスペンションタワー１０側からの衝撃力により、上記フロントカウル７とこのフロントカウル７に結合された上記ダッシュパネル１１とが振動しようとする際、上記したようにフロントカウル７の前部パネル９ｂがより容易に振動する分、上記フロントカウル７の後部パネル９ｃと、ダッシュパネル１１との振動が抑制される。この結果、上記後部パネル９ｃやダッシュパネル１１の振動により、これら後部パネル９ｃやダッシュパネル１１の後側の車室１９に生じようとするこもり音の音圧は、より確実に低減される。
【００５１】
しかも、上記したように、上記線状屈曲部２８と、上記円弧状線３３の各基端部３３ａ，３３ｂに位置する上記円弧状屈曲部３５の各端部３５ａ，３５ｂとが合流する上記前部パネル９ｂの各部分は、この前部パネル９ｂにおける単なる平坦面の部分に比べて剛性が、より低くなる部分である。このため、上記ロアカウル９の前部パネル９ｂの自由端側は、上記各円弧状屈曲部３５の各端部３５ａ，３５ｂの近傍部分を４つの節として３つの腹３７を発生させる三次振動モードの振動をすることとなる。
【００５２】
そして、上記したフロントカウル７の前部パネル９ｂの三次振動モードの振動によれば、前記したフロントカウル７の一次振動モードの振動に比べて振幅が小さくなる。このため、このフロントカウル７に連動して上記ダッシュパネル１１が上記フロントカウル７と同様に三次振動モードにより振動するとしても、その振幅は小さく抑制される。よって、このダッシュパネル１１の振動により車室１９に生じるこもり音の音圧は、更に確実に低減される。
【００５３】
また、上記した３つの腹３７を発生させる三次振動モードは、図１中一点鎖線で示すように、左右各側部の腹３７，３７が前方（もしくは後方）に向かうとき、中央部の腹３７は後方（もしくは前方）に向かうこととなる。
【００５４】
このため、上記したようにダッシュパネル１１が三次振動モードで振動するとき、このダッシュパネル１１の左右各側部が撓む方向と、中央部が撓む方向とは前後方向で互いに逆になることから、上記振動に基づく車室１９の容積変化は、左右バランスよく、小さく抑制される。よって、上記ダッシュパネル１１の振動により車室１９に生じるこもり音の音圧は、更に確実に低減される。
【００５５】
そして、上記したこもり音の音圧の低減は、上記フロントカウル７の前部パネル９ｂに線状屈曲部２８や左右一対の円弧状屈曲部３５，３５という屈曲部を形成したことにより達成されることから、前記従来の技術でいうような別途の補強部材を設けないで足りる。よって、車両１の走行中に車室１９に生じるこもり音についての音圧の低減は、簡単な構成で、かつ、車体２前部の質量の増加を抑制しつつ達成できる。
【００５６】
また、前記したように、車体２の平面視（図１）で、上記フロントカウル７を全体として前方に向かって凸状の円弧形状に形成し、上記線状屈曲部２８を車体２の幅方向に直線状に延びるよう形成している。
【００５７】
ここで、上記したように、車体２の平面視（図１）で、上記フロントカウル７を前方に向かって凸状の円弧形状とし、仮に、これに相応するように上記線状屈曲部２８を円弧形状にしたとすると、この線状屈曲部２８の剛性は大きくなりがちである。このため、この車両１の走行中に、上記前部パネル９ｂの自由端側が上記線状屈曲部２８を振動中心として振動しようとしても、この振動はし難くなる。
【００５８】
そこで、上記したように、車体２の平面視（図１）で、上記フロントカウル７を全体として前方に向かって凸状の円弧形状に形成したことにかかわらず、上記線状屈曲部２８を車体２の幅方向に直線状に延びるよう形成している。
【００５９】
このため、上記前部パネル９ｂの自由端側への何らかの負荷に対する上記線状屈曲部２８の剛性は、この線状屈曲部２８が仮に前記したように円弧形状に屈曲している場合に比べて十分に低下することから、車両１の走行時、上記前部パネル９ｂの自由端側は、上記線状屈曲部２８を振動中心として、更に容易に振動する。
【００６０】
よって、上記サスペンションタワー１０側からの衝撃力により、上記フロントカウル７とこのフロントカウル７に結合された上記ダッシュパネル１１とが振動しようとする際、上記したようにフロントカウル７の前部パネル９ｂが更に容易に振動する分、上記フロントカウル７の後部パネル９ｃと、ダッシュパネル１１との振動は、より効果的に抑制される。この結果、上記後部パネル９ｃやダッシュパネル１１の振動により、これら後部パネル９ｃやダッシュパネル１１の後側の車室１９に生じようとするこもり音の音圧は、更に確実に低減される。
【００６１】
また、前記したように、ロアカウル９の前部パネル９ｂには、車体２の幅方向に直線状に延びる２本の線状屈曲部２８，２９を形成して、これら２８，２９の間に帯板状に延びる棚部３０を形成している。
【００６２】
このため、上記サスペンションタワー１０側からの衝撃力により振動するフロントカウル７は、その前部パネル９ｂの自由端側が上記両線状屈曲部２８，２９をそれぞれ振動中心とし、更に容易に振動する。
【００６３】
よって、上記サスペンションタワー１０側からの衝撃力により、上記フロントカウル７とこのフロントカウル７に結合された上記ダッシュパネル１１とが振動しようとする際、上記したようにフロントカウル７の前部パネル９ｂがより容易に振動する分、上記フロントカウル７の後部パネル９ｃと、ダッシュパネル１１との振動が抑制される。この結果、上記後部パネル９ｃやダッシュパネル１１の振動により、これら後部パネル９ｃやダッシュパネル１１の後側の車室１９に生じようとするこもり音の音圧は、更に確実に低減される。
【００６４】
なお、以上は図示の例によるが、上記線状屈曲部２８，２９、および円弧状屈曲部３５の各屈曲は谷折れ、山折れのいずれであってもよい。また、上記線状屈曲部２８，２９は、上記フロントカウル７と同様に、前方に向かって凸状の半径の大きい円弧形状としてもよい。
【符号の説明】
【００６５】
１    車両
２    車体
３    サイドメンバ
５    フロントピラー
６    エプロンメンバ
７    フロントカウル
８    アッパカウル
９    ロアカウル
９ａ  底部パネル
９ｂ  前部パネル
９ｃ  後部パネル
１０  サスペンションタワー
１１  ダッシュパネル
１９  車室
２８  線状屈曲部
２９  線状屈曲部
３０  棚部
３３  円弧状線
３３ａ  基端部
３３ｂ  基端部
３４  中心線
３５  円弧状屈曲部
３５ａ  端部
３５ｂ  端部
３７  腹
【図１】
0005586059.tif 000002
【図２】
0005586059.tif 000003
【図３】
0005586059.tif 000004
【図４】
0005586059.tif 000005